(57)【特許請求の範囲】
【請求項１】
内部導体を覆う絶縁体上に金属層付きプラスチックテープを備えると共に、その上に外部導体とジャケットとを順次備えた同軸ケーブルにおいて、上記金属層付きプラスチックテープは、テープ本体表面に金属層として第一の金属層と、電気めっきからなる第二の金属層を順に備えたものであることを特徴とする同軸ケーブル。
【請求項２】
上記第一の金属層は、金属蒸着からなる金属層であることを特徴とする請求項１に記載の同軸ケーブル。
【請求項３】
上記金属層付きプラスチックテープの金属層の厚さが１μｍより厚く４μｍ以下であることを特徴とする請求項１又は２に記載の同軸ケーブル。
【請求項４】
上記金属層付きプラスチックテープの金属層は、金属層の面が上記外部導体と接するように配置されていることを特徴とする請求項１〜３のいずれか１項に記載の同軸ケーブル。
【請求項５】
上記金属層付きプラスチックテープは、テープ本体の両面に金属層が形成されていることを特徴とする請求項１〜３のいずれか１項に記載の同軸ケーブル。
【請求項６】
上記内部導体上にこれを覆うように上記絶縁体を設けてなる絶縁線心の外径が１ｍｍ以下であることを特徴とする請求項１〜５のいずれか１項に記載の同軸ケーブル。
【請求項７】
上記外部導体が編組体からなることを特徴とする請求項１〜６のいずれか１項に記載の同軸ケーブル。
【請求項８】
上記請求項１〜７のいずれか１項に記載の同軸ケーブルを複数本撚り合わせ、その周囲を外被で覆って成ることを特徴とする同軸多心ケーブル。
【発明の詳細な説明】
【０００１】
【発明の属する技術分野】
本発明は、情報通信分野において広く用いられている同軸ケーブルに係り、特に高周波信号を伝送すべく絶縁体外径が１ｍｍ以下の細径同軸ケーブル及びこれを用いた同軸多心ケーブルに関するものである。
【０００２】
【従来の技術】
従来の同軸ケーブルは、例えば図４（Ａ）に示すように、内部導体ａの周囲をポリエチレン等の絶縁体ｂで覆うと共に、その絶縁体ｂの周囲に金属編組等からなる外部導体ｃを備え、その外部導体ｃの周囲を絶縁性のジャケットｄで覆うような構造となっている。そして、一般に１ＧＨｚ〜１０ＧＨｚの高周波で使用されるいわゆる低減衰同軸ケーブルにあっては、さらに図示するようにこの絶縁体ｂの周囲に、金属層付きのプラスチックテープｅが縦添え又は巻き付けられており、シールド効果や減衰量といった電気特性の向上が図られるようになっている。
【０００３】
この金属層付きのプラスチックテープｅは、図４（Ｂ）に示すようにポリエステルやテフロン（登録商標）等のプラスチックテープ本体ｆの表面に、銅やアルミニウム，銀等の金属箔ｇを接着したものが一般に用いられている。また、その金属箔ｇの厚さは一般に銅の場合８μｍ以上であり、アルミニウムや銀の場合４μｍよりも厚いものとなっている。
【０００４】
【発明が解決しようとする課題】
ところで、このような従来の金属層付きのプラスチックテープｅを絶縁体ｂ上に巻き付けるに際してその絶縁体ｂが太い場合は特に問題はないが、その絶縁体ｂが極めて細い場合、例えばその外径が１ｍｍ以下の細径の場合にはその巻き付け作業が非常に難しくなる上に巻き付け後に絶縁体ｂとの間に隙間ができ、電気特性を悪化させることがある。また、金属箔ｇとテープ本体ｆはその接着力が小さいため、ケーブルの屈曲や外部導体ｃとの摩擦といった外力が加わると、最悪の場合その金属箔ｇがテープ本体ｆから剥がれてしまうことがある。特に、この現象は外部導体ｃとして可撓性に富んだ編組体を採用した場合に多くみられる。
【０００５】
そのため、外径が１ｍｍ以下の細径の絶縁体ｂ上に巻き付ける場合には、金属層付きプラスチックテープｅとして比較的軟らかいものとするためにその金属層を蒸着によってテープ本体ｆ上に形成したものを用いることも提案されている（例えば、特開平１−２３２６１１号公報，米国特許公報第４９７０３５２号等）。しかしながら、この金属層を蒸着によって形成した場合には、その金属層の厚さが一般に銅の場合では０．１μｍ〜０．３μｍ、アルミニウムの場合でも０．０５μｍ〜０．５μｍ程度が限界であり、所望の電気特性を得るための十分な厚さを得ることができない。
【０００６】
すなわち、銅や銀からなる金属層による十分な表皮効果を得るためには、１ＧＨｚの高周波では少なくとも２μｍ，５ＧＨｚの高周波では少なくとも１μｍの厚さが必要であるが、蒸着による方法では金属層の厚さを厚くすることが困難であり、十分な電気特性を発揮できないといった不都合がある。
【０００７】
そこで、本発明は、このような課題を有効に解決するために案出されたものであり、その目的は、金属層付きのプラスチックテープに起因する電気特性の悪化を効果的に回避することができる新規な同軸ケーブル及び同軸多心ケーブルを提供するものである。
【０００８】
【課題を解決するための手段】
上記課題を解決するために本発明は、請求項１に示すように、内部導体を覆う絶縁体上に金属層付きプラスチックテープを備えると共に、その上に外部導体とジャケットとを順次備えた同軸ケーブルにおいて、上記金属層付きプラスチックテープは、テープ本体表面に金属層として第一の金属層と、電気めっきからなる第二の金属層を順に備えたものである。
【０００９】
この結果、その金属層の厚さを少なくとも所望の厚さにすることが可能となるため、金属層付きのプラスチックテープに起因する電気特性の悪化を効果的に回避することができると共に、そのテープ自体が比較的軟らかい状態を維持できるため、内部導体上にこれを覆うように絶縁体を設けてなる絶縁線心の外径が請求項６に示すように１ｍｍ以下と細い場合であっても、これを容易且つ確実に絶縁体上に縦添え又は巻き付けて備えることができる。さらに、金属層とテープとの密着性が向上するため、金属層の剥がれ等も未然に回避できる。
【００１０】
より具体的には、請求項２に示すように上記第一の金属層を金属蒸着からなる金属層で形成することで電気めっきからなる第二の金属層とテープ本体との密着性を向上させることができ、また、請求項３に示すように上記金属層付きプラスチックテープの金属層の厚さを１μｍより厚く４μｍ以下とすることにより、十分な電気特性を発揮しつつテープの硬さが増すのを確実に回避することができる。
【００１１】
また、請求項４に示すように上記金属層付きプラスチックテープをその金属層の面が上記外部導体と接するように配置したり、請求項５に示すように上記金属層付きプラスチックテープとしてそのテープ本体の両面に金属層を形成したものを用いれば、請求項７に示すように、上記外部導体が編組体からなるものであって、その表面が網目状に凹凸になっている場合であっても、金属層がテープ本体から剥がれるなどの不都合を未然に回避することができる。
【００１２】
そして、請求項８に示すように、これらの同軸ケーブルを複数本撚り合わせ、その周囲を外被で覆って一体化することにより、優れた電気特性を発揮する同軸多心ケーブルを容易に得ることができる。
【００１３】
また、本発明を適用する同軸ケーブルとしては内部導体サイズが４０ＡＷＧ〜２８ＡＷＧ（外径約０．０８〜０．３２ｍｍ）のものが好ましい。
【００１４】
【発明の実施の形態】
次に、本発明を実施する好適一形態を添付図面を参照しながら説明する。
【００１５】
図１は本発明に係る同軸ケーブル１の実施の一形態を示す斜視図である。
【００１６】
図示するように、この同軸ケーブル１は、銅線等からなる内部導体２上にこれを覆うように絶縁体３を備えると共に、その絶縁体３上に金属層付きプラスチックテープ４を巻き付け、さらにその金属層付きプラスチックテープ４上に金属編組体からなる外部導体５と絶縁材料からなるジャケット６とを順次備えた構造となっている。
【００１７】
そして、本発明の同軸ケーブル１にあっては、上記金属層付きプラスチックテープ４は、図２（Ａ）に示すように、厚さ約４μｍ前後のプラスチックからなるテープ本体７の表面に厚さ２μｍ前後の金属層８が形成されたものであり、さらに、この金属層８はテープ本体７上に直接金属蒸着して形成される蒸着層（第一の金属層）８ａと、この蒸着層８ａ上に電気めっきにて形成される電気めっき層（第二の金属層）８ｂとから構成されている。
【００１８】
ここで、このテープ本体７上に形成される金属層８の厚さとしては１μｍより厚く４μｍ以下であり、好ましくは１．５μｍ〜４μｍの範囲である。すなわち、１μｍ以下では、厚さが不足して十分な電気特性を発揮できず、反対に４μｍを超えるとテープ４全体が硬くなって外径が１ｍｍ程度の細径の絶縁体３上に縦添え又は巻き付けるのが困難になってしまうからである。尚、この金属層８の材質としては、導電率９０％ＩＡＣＳ以上で、かつ金属蒸着及び金属めっき可能なものであれば特に限定するものではないが、好ましくは銅，銀である。
【００１９】
また、この金属層８を備えた金属層付きプラスチックテープ４全体の厚さとしては１５μｍ以下とすることが好ましい。これ以上厚くすると、外径が１ｍｍ以下の細径の絶縁体３上に縦添え又は巻き付けるのが難しくなるからである。これにより、従来例のように金属箔ｇを用いた場合のようにテープ自体が硬くならず、軟らかい状態を維持できるため、１ｍｍ以下の細径の絶縁体３に対しても容易にかつ確実に巻き付けることができる。さらに、このテープ４を絶縁体３上に縦添え又は巻き付けする等に際してある程度の強度を確保する必要上、テープ本体７の厚さは金属層８の厚さの２倍以上とすることが好ましい。すなわち、少なくとも２μｍより厚い厚さとする必要がある。尚、このテープ本体７の材質としては、従来と同様、ポリエステルやテフロン（登録商標）等の公知のプラスチックを用いることができる。
【００２０】
そして、このような構造をした金属層付きプラスチックテープ４にあっては、上記の如くその金属層８がテープ本体７上に直接金属蒸着して形成される蒸着層８ａと、この蒸着層８ａ上に電気めっきにて形成される電気めっき層８ｂとの２つの層から構成されていることから、金属層８がテープ本体７側にしっかりと密着するため、絶縁体３上に縦添え又は巻き付けた後に金属層８がテープ本体７から剥がれるなどといった不都合がなく、また、金属層８が十分な厚さで形成されているため、十分な電気特性を発揮することができる。特に、外部導体５として金属編組を用いる場合には、その表面が網目状に凹凸になっているため、その効果がさらに発揮される。
【００２１】
すなわち、金属蒸着による蒸着層８ａのみでは前述したように十分な厚さを確保することが困難であるが、この金属蒸着による蒸着層８ａは、プラスチックとの密着性に優れ、かつ金属同士の密着性も良好であることから、その上に電気めっき層８ｂを確実に形成することができ、その電気めっき層８によって十分な厚さを確保することが可能となるからである。
【００２２】
尚、第一の金属層である蒸着層８ａは真空蒸着法を用いることにより形成したものであるが、その他、テープ本体７との良好な密着性が発揮できればスパッタリング法等の他の形成方法を採用して第一の金属層を形成しても良い。
【００２３】
また、図２（Ｂ）に示すように、このテープ本体７を２枚重ね合わせて接着し、その上下にそれぞれ上述したような金属層８，８を形成しても良い。
【００２４】
さらに、図３に示すように、このような同軸ケーブル１を複数本（本実施の形態では７本）撚り合わせ、その周囲を外被９で覆って一体化すれば、優れた電気特性を発揮する同軸多心ケーブル１０を容易に得ることができる。
【００２５】
【実施例】
以下、本発明の具体的実施例について説明する。
【００２６】
（実施例１）
図１に示すような同軸ケーブル１の内部導体２として、３２ＡＷＧ（外径約０．２４ｍｍ）の銀めっき軟銅線を用い、その上に絶縁体３としてＦＥＰ（四フッ化エチレン・六フッ化プロピレン共重合体）樹脂を押出したＦＥＰ樹脂絶縁体を設け、絶縁体外径０．６８ｍｍの絶縁心線とする。この上に、図２（ａ）に示すような構造をした金属層付きプラスチックテープ４をその金属層８側が外側になるように管状に縦添えし、さらにその上に素線径０．０５ｍｍのすずめっき軟銅線編組を施して外部導体５を形成し、さらにその上にジャケット６としてＦＥＰを被覆して本発明に係る同軸ケーブルを作製した。
【００２７】
そしてこのようにして得られた同軸ケーブルに対してその電気特性、すなわち、シールド効果及び減衰量についてそれぞれ評価し、その結果を以下の表１に示す。
【００２８】
（実施例２）
実施例１で用いた金属層付きプラスチックテープ４に代えて図２（ｂ）に示すように両面に金属層８，８を備えたテープ４を用いた他は実施例１と同様な構造をした同軸ケーブルを作製し、その同軸ケーブルに対して実施例１と同様な評価を行った。
【００２９】
（比較例１）
実施例１に示す構成において、金属層付きプラスチックテープ４を省略した同軸ケーブルを作製し、その同軸ケーブルに対して実施例１と同様な評価を行った。
【００３０】
（比較例２）
実施例１で用いた金属層付きプラスチックテープ４に代えて、厚さ４μｍのポリエステルテープ上に厚さ０．５μｍの銅を蒸着した金属層付きプラスチックテープを用いた他は実施例１と同様な構造をした同軸ケーブルを作製し、その同軸ケーブルに対して実施例１と同様な評価を行った。
【００３１】
【表１】
0003671919.tif 000002
【００３２】
この結果、表１に示すように、シールド効果に関しては、従来品である比較例１，２はそれぞれ７０，７５ｄＢであったのに対し、本発明に係る実施例１，２はいずれも８０ｄＢを大きく超え、優れたシールド効果を発揮した。また、減衰量に関しては、本発明に係る実施例１，２は、いずれの周波数においても比較例１，２よりも低く、優れた減衰量を発揮した。
【００３３】
【発明の効果】
以上要するに本発明によれば、絶縁体上に備えられる金属層付きプラスチックテープとして、テープ本体表面に電気めっきからなる金属層を備えたものを採用したことから、絶縁体の外径が細い場合であっても、テープを容易且つ確実に絶縁体上に縦添え又は巻き付けることができると共に、金属層の厚さを十分に確保できるため、金属層付きのプラスチックテープに起因する電気特性の悪化を確実に回避できる、等といった優れた効果を発揮する。
【図面の簡単な説明】
【図１】本発明に係る同軸ケーブルの実施の一形態を示す斜視図である。
【図２】（Ａ）及び（Ｂ）は本発明で採用する金属層付きプラスチックテープの実施の一形態を示す拡大断面図である。
【図３】本発明に係る同軸多心ケーブルの実施の一形態を示す斜視図である。
【図４】（Ａ）は従来の同軸ケーブルの一例を示す拡大断面図である。
（Ｂ）は従来の金属層付きプラスチックテープの一例を示す拡大断面図である。
【符号の説明】
１  同軸ケーブル
２  内部導体
３  絶縁体
４  金属層付きプラスチックテープ
５  外部導体
６  ジャケット
７  テープ本体
８  金属層
8a  蒸着層（第一の金属層）
8b  電気めっき層（第二の金属層）
９  外被
10  同軸多心ケーブル
【図１】
0003671919.tif 000003
【図２】
0003671919.tif 000004
【図３】
0003671919.tif 000005
【図４】
0003671919.tif 000006